(57)【要約】【課題】記憶された印刷ジョブの属性データと新たに受信した印刷ジョブの属性データとが類似している場合に、ユーザの操作に応じて適切に印刷ジョブの削除を行う。【解決手段】画像形成に係る画像情報を有する印刷データと、印刷データの属性を示す属性情報とが含まれた印刷ジョブを受信して記憶する印刷キュー記憶部２０６と、印刷キュー記憶部２０６に、同一ユーザに係る印刷ジョブが時間を前後して重複して記憶された場合、各々の印刷ジョブの属性情報同士の比較結果に基づいて、各々の印刷ジョブが類似しているか否かを判定する判定部２１１と、判定部２１１により類似していると判定された場合に、類似と判定された属性情報に対応する印刷ジョブのいずれを削除するかを問い合わせる出力制御部２１２とを備えることにある。【選択図】      図２
2015139973.tif 000002
【特許請求の範囲】
【請求項１】
印刷ジョブを受信して、受信した印刷ジョブに基づいて印刷処理を実行する印刷装置であって、
前記印刷ジョブには、画像形成に係る画像情報を有する印刷データと、ユーザ特定情報と、前記印刷データの属性を示す属性情報とが含まれており、前記印刷ジョブを受信して記憶する印刷ジョブ記憶手段と、
前記印刷ジョブ記憶手段に、同一ユーザに係る印刷ジョブが時間を前後して重複して記憶された場合、各々の印刷ジョブの属性情報同士の比較結果に基づいて、前記各々の印刷ジョブが類似しているか否かを判定する判定手段と、
前記判定手段により類似していると判定された場合に、類似と判定された印刷ジョブのいずれを削除するかを問い合わせる出力手段と、
を備えたことを特徴とする印刷装置。
【請求項２】
前記属性情報には、１以上の詳細属性情報が含まれており、
前記判定手段は、
前記各々の印刷ジョブの詳細属性情報の類似度合いを示す詳細属性類似度を詳細属性情報毎に算出し、算出した詳細属性情報毎の詳細属性類似度に基づいて、前記各々の印刷ジョブの類似の判定を行い、
前記出力手段は、
前記判定手段により類似していると判定された場合に、前記算出された詳細属性類似度及びそれに対応する詳細属性情報と、前記類似と判定された前記各々の印刷ジョブのいずれを削除するかを問い合わせるメッセージとを表示手段に表示させ、ユーザ操作に基づいて、印刷ジョブの削除を制御する
ことを特徴とする請求項１記載の印刷装置。
【請求項３】
前記詳細属性情報に対応づけられて、前記詳細属性類似度への寄与度を示す重み付け度を記憶する重み付け記憶手段をさらに備え、
前記判定手段は、
前記詳細属性類似度の算出を、前記各々の印刷ジョブの詳細属性情報に対応する重み付け度を考慮して行う
ことを特徴とする請求項２に記載の印刷装置。
【請求項４】
前記ユーザ操作により、前記類似と判定された印刷ジョブが削除されなかった場合、
前記重み付け記憶手段に記憶された、前記各々の印刷ジョブの詳細属性情報に対応する重み付け度のうち、詳細属性類似度の高い詳細属性情報に対応する重み付け度を低下させると共に、低下させた重み付け度の分だけ、前記高い詳細属性情報以外の詳細属性情報に対応する重み付け度を上昇させる重み付け調整手段、
をさらに備えたことを特徴とする請求項３記載の印刷装置。
【請求項５】
前記ユーザ操作により、前記類似と判定された印刷ジョブが削除された場合、
前記重み付け記憶手段に記憶された、前記各々の印刷ジョブの詳細属性情報に対応する重み付け度のうち、詳細属性類似度の高い詳細属性情報に対応する重み付け度を上昇させると共に、上昇させた重み付け度の分だけ、前記高い詳細属性情報以外の詳細属性情報に対応する重み付け度を低下させる重み付け調整手段、
をさらに備えたことを特徴とする請求項３記載の印刷装置。
【発明の詳細な説明】
【技術分野】
【０００１】
本発明は、印刷装置内に記憶された印刷ジョブの属性情報と新たに受信した印刷ジョブの属性情報とが類似している場合に、ユーザの操作に応じて適切に印刷ジョブの削除を行う印刷装置に関する。
【背景技術】
【０００２】
複合機などの印刷装置は、ネットワークを介してコンピュータに接続され、コンピュータから送信された印刷ジョブを受信し、この印刷ジョブを一時的に記憶部に記憶して、受信順に印刷する。
【０００３】
ここで、ユーザは、コンピュータから印刷ジョブを送信させる操作を行った後、この印刷ジョブのカラーモードなどの属性データを変更して、新たな印刷ジョブとして送信させる場合がある。このとき、印刷装置の記憶部には、属性データ変更前の印刷ジョブと属性データ変更後の印刷ジョブの２つの印刷ジョブが記憶されていることになる。しかしながら、このように２つの印刷ジョブの属性データのうちカラーモードのみが異なるなどほぼ同等、すなわち類似している場合、ユーザは、２つの印刷ジョブのうちいずれか一方のみ出力したいと考える場合が多い。
【０００４】
特許文献１には、画像形成に係る画像情報を有する印刷データと、印刷データの属性を示す属性情報とが含まれた印刷ジョブを受信して保存するジョブ記憶部と、ジョブ記憶部に保存された印刷ジョブの属性情報と、新たに受信した印刷ジョブの属性情報とが一致する場合に、印刷ジョブを削除する印刷装置に関する技術が提案されている。
【先行技術文献】
【特許文献】
【０００５】
【特許文献１】特開２０１３−６３８３号公報
【発明の概要】
【発明が解決しようとする課題】
【０００６】
しかしながら、特許文献１に記載の印刷装置では、ジョブ記憶部に保存された印刷ジョブの属性情報と、新たに受信した印刷ジョブの属性情報とが一致する場合に、印刷ジョブを削除する。そのため、属性情報が類似しているが一致していない場合、印刷ジョブは削除されず、ユーザがそのような印刷ジョブは一方のみ印刷すれば良いと思っているような場合であっても、両方の印刷ジョブに基づいて印刷処理が実行されてしまい、用紙が無駄になる場合があった。
【０００７】
本発明は、上記課題に鑑みてなされたものであり、記憶された印刷ジョブの属性情報と新たに受信した印刷ジョブの属性情報とが類似している場合に、ユーザの操作に応じて適切に印刷ジョブの削除を行う印刷装置を提供することを目的とする。
【課題を解決するための手段】
【０００８】
上記目的を達成するため、本発明に係る印刷装置の第１の特徴は、印刷ジョブを受信して、受信した印刷ジョブに基づいて印刷処理を実行する印刷装置であって、前記印刷ジョブには、画像形成に係る画像情報を有する印刷データと、ユーザ特定情報と、前記印刷データの属性を示す属性情報とが含まれており、前記印刷ジョブを受信して記憶する印刷ジョブ記憶手段と、前記印刷ジョブ記憶手段に、同一ユーザに係る印刷ジョブが時間を前後して重複して記憶された場合、各々の印刷ジョブの属性情報同士の比較結果に基づいて、前記各々の印刷ジョブが類似しているか否かを判定する判定手段と、前記判定手段により類似していると判定された場合に、類似と判定された印刷ジョブのいずれを削除するかを問い合わせる出力手段と、を備えたことにある。
【０００９】
本発明に係る印刷装置の第２の特徴は、前記属性情報には、１以上の詳細属性情報が含まれており、前記判定手段は、前記各々の印刷ジョブの詳細属性情報の類似度合いを示す詳細属性類似度を詳細属性情報毎に算出し、算出した詳細属性情報毎の詳細属性類似度に基づいて、前記各々の印刷ジョブの類似の判定を行い、前記出力手段は、前記判定手段により類似していると判定された場合に、前記算出された詳細属性類似度及びそれに対応する詳細属性情報と、前記類似と判定された前記各々の印刷ジョブのいずれを削除するかを問い合わせるメッセージとを表示手段に表示させ、ユーザ操作に基づいて、印刷ジョブの削除を制御することにある。
【００１０】
本発明に係る印刷装置の第３の特徴は、前記詳細属性情報に対応づけられて、前記詳細属性類似度への寄与度を示す重み付け度を記憶する重み付け記憶手段をさらに備え、前記判定手段は、前記詳細属性類似度の算出を、前記各々の印刷ジョブの詳細属性情報に対応する重み付け度を考慮して行うことにある。
【００１１】
本発明に係る印刷装置の第４の特徴は、前記ユーザ操作により、前記類似と判定された印刷ジョブが削除されなかった場合、前記重み付け記憶手段に記憶された、前記各々の印刷ジョブの詳細属性情報に対応する重み付け度のうち、詳細属性類似度の高い詳細属性情報に対応する重み付け度を低下させると共に、低下させた重み付け度の分だけ、前記高い詳細属性情報以外の詳細属性情報に対応する重み付け度を上昇させる重み付け調整手段、をさらに備えたことにある。
【００１２】
本発明に係る印刷装置の第５の特徴は、前記ユーザ操作により、前記類似と判定された印刷ジョブが削除された場合、前記重み付け記憶手段に記憶された、前記各々の印刷ジョブの詳細属性情報に対応する重み付け度のうち、詳細属性類似度の高い詳細属性情報に対応する重み付け度を上昇させると共に、上昇させた重み付け度の分だけ、前記高い詳細属性情報以外の詳細属性情報に対応する重み付け度を低下させる重み付け調整手段、をさらに備えたことにある。
【発明の効果】
【００１３】
本発明に係る印刷装置の第１の特徴によれば、判定手段が、印刷ジョブ記憶手段に、同一ユーザに係る印刷ジョブが時間を前後して重複して記憶された場合、各々の印刷ジョブの属性情報同士の比較結果に基づいて、各々の印刷ジョブが類似しているか否かを判定し、出力手段が、判定手段により類似していると判定された場合に、類似と判定された印刷ジョブのいずれを削除するかを問い合わせるので、印刷装置内に記憶された印刷ジョブの属性データと新たに受信した印刷ジョブの属性データとが類似している場合にも、ユーザの操作に応じて適切に印刷ジョブの削除を行うことができる。
【００１４】
例えば、ユーザが、コンピュータから印刷ジョブを送信させる操作を行った後、この印刷ジョブのカラーモードなどの属性情報を変更して、新たな印刷ジョブとして送信させた場合、属性情報が類似している２つの印刷ジョブが印刷装置に記憶されていることになるが、このように２つの印刷ジョブの属性情報が類似している場合、ユーザは、２つの印刷ジョブのうちいずれか一方のみ出力したいと考える場合が多い。このような場合にも、ユーザに問い合わせるので、ユーザの操作に応じて適切に印刷ジョブの削除を行うことができる。
【００１５】
本発明に係る印刷装置の第２の特徴によれば、
出力手段が、判定手段により類似していると判定された場合に、算出された詳細属性類似度及びそれに対応する詳細属性情報と、類似と判定された各々の印刷ジョブのいずれを削除するかを問い合わせるメッセージとを表示手段に表示させ、ユーザ操作に基づいて、印刷ジョブの削除を制御するので、ユーザは、削除設定の操作を行う上で参考になる情報として、詳細属性類似度及びそれに対応する詳細属性情報を確認しながら、より適切に印刷ジョブの削除の操作を行うことができる。
【００１６】
本発明に係る印刷装置の第３の特徴によれば、判定手段は、詳細属性類似度の算出を、各々の印刷ジョブの詳細属性情報に対応する重み付け度を考慮して行うので、より正確に属性情報が類似しているか否かを判定することができる。
【００１７】
本発明に係る印刷装置の第４の特徴によれば、ユーザ操作により、類似と判定された印刷ジョブが削除されなかった場合、重み付け調整手段が、重み付け記憶手段に記憶された、各々の印刷ジョブの詳細属性情報に対応する重み付け度のうち、詳細属性類似度の高い詳細属性情報に対応する重み付け度を低下させると共に、低下させた重み付け度の分だけ、高い詳細属性情報以外の詳細属性情報に対応する重み付け度を上昇させる。これにより、ユーザが類似と認識する印刷ジョブと、本発明の一実施形態に係る印刷装置２が類似と判定する印刷ジョブとが近づくように重み付け度が調整されるので、次回から、よりユーザの類似判断の感覚に近い印刷ジョブの類似判定を行うことができる。
【００１８】
本発明に係る印刷装置の第５の特徴によれば、ユーザ操作により、類似と判定された印刷ジョブが削除された場合、重み付け調整手段は、重み付け記憶手段に記憶された、各々の印刷ジョブの詳細属性情報に対応する重み付け度のうち、詳細属性類似度の高い詳細属性情報に対応する重み付け度を上昇させると共に、上昇させた重み付け度の分だけ、高い詳細属性情報以外の詳細属性情報に対応する重み付け度を低下させる。これにより、ユーザが類似と認識する印刷ジョブと、本発明の一実施形態に係る印刷装置２が類似と判定する印刷ジョブとがさらに近づくように重み付け度が調整されるので、次回から、さらにユーザの類似判断の感覚に近い印刷ジョブの類似判定を行うことができる。
【図面の簡単な説明】
【００１９】
【図１】本発明の一実施形態に係る印刷装置を備えた印刷システムの全体構成を示す概念図である。
【図２】本発明の一実施形態に係る印刷装置の内部構成を示すブロック図である。
【図３】本発明の一実施形態に係る印刷装置がユーザ端末から取得する印刷ジョブの構成を示す説明図である。
【図４】本発明の一実施形態に係る印刷装置の処理手順を示したフローチャートである。
【図５】本発明の一実施形態に係る印刷装置が備える操作パネルに表示されたメッセージ画面の一例を示した図である。
【図６】本発明の一実施形態に係る印刷装置が備える操作パネルに表示されたメッセージ画面の一例を示した図である。
【発明を実施するための形態】
【００２０】
以下に添付図面を参照して、本発明に係る印刷装置の実施形態を詳細に説明する。（印刷システムの全体構成）
図１は、本発明の一実施形態に係る印刷装置を備えた印刷システムの全体構成を示す概念図である。本実施形態において、印刷システムは、ユーザ端末１と、印刷装置２とを備えている。
【００２１】
ユーザ端末１（１ａ〜１ｃ）は、ＣＰＵを備えた演算処理装置であり、各種アプリケーションソフトにより印刷用の印刷データを作成し、その印刷データの印刷処理の実行を指示する機能を備えている。例えば、ユーザ端末１（１ａ〜１ｃ）は、パーソナルコンピュータ等の汎用コンピュータや、機能を特化させた専用装置により実現することができ、モバイルコンピュータやＰＤＡ（Personal Digital Assistance ）、携帯電話機であってもよい。
【００２２】
印刷装置２は、ユーザ操作に基づく印刷指示に従って、ネットワーク３を通じてユーザ端末１から受信した印刷ジョブＤ１に基づいて印刷データを印刷するネットワークプリンターである。
【００２３】
そして、本実施形態では、図１に示すように、印刷装置２と、複数のユーザ端末１（１ａ〜１ｃ）は、ネットワーク３に対して接続されており、ユーザ端末１から印刷ジョブＤ１を、ネットワーク３を通じて印刷装置２に対して送出し、遠隔的に印刷処理を実行できるようになっている。
【００２４】
なお、このネットワーク３としては、通信プロトコルＴＣＰ／ＩＰを用いた１０ＢＡＳＥ−Ｔや１００ＢＡＳＥ−ＴＸ等によるローカルネットワーク（ＬＡＮ）や無線ＬＡＮ（ＷＬＡＮ）等の無線ネットワークであり、例えば、ピア・トゥー・ピアによる家庭用の簡易的なネットワークなども含まれる。
【００２５】
（印刷装置の構成）
次いで、印刷装置２の構成について説明する。図２は図１の印刷装置２の内部構成を示すブロック図であり、図３は図２の印刷装置が図１のユーザ端末１（１ａ〜１ｃ）から取得する印刷ジョブの構成を示す説明図である。
【００２６】
なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００２７】
図２に示すように、印刷装置２には、ネットワークを通じて受信されたデータを印刷するためのモジュールとして、通信インターフェース２０１と、操作パネル２０２と、受信キュー記憶部２０５と、印刷キュー記憶部２０６と、演算処理部２１０と、インクジェットヘッド２２０とを備えている。
【００２８】
インクジェットヘッド２２０は、搬送される用紙に対して、ノズルから、黒（Ｋ）又はカラーインク（Ｃ，Ｍ，Ｙ）を吐出してライン単位で印刷を行う。
【００２９】
通信インターフェース２０１は、ユーザ端末１（１ａ〜１ｃ）との間でデータの送受信を行う通信インターフェースであり、例えば、有線・無線ＬＡＮやシリアル方式、ＵＳＢ方式等によりデータの通信を行う。
【００３０】
操作パネル２０２は、ユーザによる指示操作や設定操作を受け付けるモジュールであり、本実施形態においては、例えば、不要ジョブの削除処理に関する操作を行うための情報が表示可能なタッチパネルを備えている。
【００３１】
受信キュー記憶部２０５は、電源の供給が遮断されると記憶されたデータが消去される揮発性のメモリである。この受信キュー記憶部２０５には、ユーザ端末１（１ａ〜１ｃ）から送信されて受信した印刷ジョブＤ１が保存される。
【００３２】
ここで、この受信キュー記憶部２０５に保存される印刷ジョブＤ１には、図３に示すように、画像形成に係る画像情報を有する印刷データＤ１０と、印刷ジョブの設定情報を示すジョブ情報Ｄ２０とが含まれている。また、ジョブ情報Ｄ２０には、ユーザを識別するユーザ識別子Ｄ２１と、印刷データＤ１０を識別する印刷データ識別子Ｄ２２と、印刷データＤ１０の属性を示す属性情報Ｄ２３とを含んでいる。
【００３３】
属性情報Ｄ２３は、印刷ジョブに係る印刷データがユーザ端末１において最終保存された時刻を示す更新時刻Ｄ２３１と、印刷させる部数Ｄ２３２と、ソートを行うか否かが設定されたソート設定Ｄ２３３と、カラーで印刷させるかモノクロで印刷されるかまたは自動でカラーかモノクロかを選択するかが設定されたカラーモードＤ２３４と、片面または両面のいずれに印刷するのかが設定された片面両面設定Ｄ２３５と、その他設定されたその他設定Ｄ２３６とが含まれている。これら更新時刻Ｄ２３１、部数Ｄ２３２、ソート設定Ｄ２３３、カラーモードＤ２３４、片面両面設定Ｄ２３５、およびその他設定Ｄ２３６の１つ１つの設定値を含む属性項目を詳細属性情報という。
【００３４】
印刷キュー記憶部２０６は、各種のデータや、プログラムを記憶保持する記憶装置等であり、本実施形態においては、電源の供給が遮断されても記憶されたデータが消去されない不揮発性のものとなっている。そして、この印刷キュー記憶部２０６には、一時的に受信キュー記憶部２０５に記憶された印刷ジョブＤ１が必要に応じて、転送されて記憶される。
【００３５】
また、印刷キュー記憶部２０６は、属性情報Ｄ２３の各属性項目と重み付け度とを関連づけて、重み付け情報として記憶している。
【００３６】
演算処理部２１０は、ＣＰＵやＤＳＰ（Digital Signal Prosessor）等のプロセッサ、メモリ、及びその他の電子回路等のハードウェア、或いはその機能を持ったプログラム等のソフトウェア、又はこれらの組み合わせなどによって構成された演算モジュールである。この演算処理部２１０は、プログラムを適宜読み込んで実行することにより種々の機能モジュールを仮想的に構築し、構築された各機能モジュールによって、印刷データに関する処理や、各部の動作制御、ユーザ操作に対する種々の処理を行う。
【００３７】
特に、本実施形態における不要ジョブの削除処理に関する設定及び制御は、操作パネル２０２、又はユーザ端末１上のプリンタードライバを通じてユーザ操作を受け付け、このユーザ操作に応じて演算処理部２１０によって行われる。具体的には、不要ジョブに関するモジュールとして、演算処理部２１０には、判定部２１１と、出力制御部２１２と、重み付け調整部２１３と、操作信号取得部２１４と、印刷ジョブ受信部２１５と、画像処理部２１６とが実装される。
【００３８】
操作信号取得部２１４は、操作パネル２０２、及び通信インターフェース２０１を通じて、ユーザによる操作信号を受信するモジュールであり、受信した操作信号を解析し、ユーザ操作に応じた処理を他のモジュールに実行させる。特に、本実施形態において、この操作信号取得部２１４は、操作パネル２０２、又は通信インターフェース２０１を介して接続されたプリンタードライバなどから、印刷処理の指示操作を受け付けたり、ユーザによる不要ジョブの削除処理に関する指示操作や設定操作を受け付けたりするモジュールである。
【００３９】
この操作信号取得部２１４で受信された操作信号は、制御信号として、出力制御部２１２に入力される。
【００４０】
印刷ジョブ受信部２１５は、一連の印刷処理単位である印刷ジョブＤ１を受信するモジュールである。本実施形態において、印刷ジョブ受信部２１５は、新たに印刷ジョブＤ１が受信された際、受信した印刷ジョブＤ１を受信キュー記憶部２０５に記憶させる。
【００４１】
判定部２１１は、印刷ジョブ記憶部に記憶された印刷ジョブＤ１の属性情報Ｄ２３と、新たに受信して受信キュー記憶部２０５に記憶された印刷ジョブＤ１の属性情報Ｄ２３とを比較し、これらの印刷ジョブが類似しているか否かを判定する。具体的には、判定部２１１は、印刷キュー記憶部２０６に保存された印刷ジョブの属性情報と、新たに受信した印刷ジョブの属性情報との属性項目毎の類似度合いを示す詳細属性類似度を算出する。そして、判定部２１１は、算出した詳細属性類似度に基づいて、印刷キュー記憶部２０６に保存された印刷ジョブの属性情報と、新たに受信した印刷ジョブの属性情報との類似度合いを示す属性情報類似度を算出し、この算出した属性情報類似度に基づいて、属性情報が類似しているか否かを判定する。
【００４２】
出力制御部２１２は、判定部２１１により類似していると判定された場合に、類似と判定された属性情報に対応する印刷ジョブのいずれを削除するかを問い合わせる。具体的には、まず、出力制御部２１２は、判定部２１１により類似していると判定された場合に、算出された詳細属性類似度の低い属性項目を抽出する。そして、出力制御部２１２は、類似と判定された印刷ジョブを削除するか否かを問い合わせるメッセージとを操作パネル２０２に表示させ、ユーザ操作に基づいて、類似と判定された印刷ジョブの削除を制御する。
【００４３】
重み付け調整部２１３は、ユーザ操作により、類似と判定された印刷ジョブが削除されなかった場合、ユーザ操作に基づいて、印刷キュー記憶部２０６に記憶された重み付け情報の重み付け度のうち、抽出された詳細属性類似度の低い属性項目に対応する重み付け度を低下させる。そして、重み付け調整部２１３は、低下させた重み付け度の分だけ抽出された詳細属性類似度の低い属性項目以外の属性項目の重み付け度を上昇させる。
【００４４】
画像処理部２１６は、画像処理に特化したディジタル信号処理を行う演算処理装置であり、印刷キュー記憶部２０６に記憶されている印刷ジョブＤ１を抽出し、この印刷ジョブＤ１に含まれる印刷に必要な印刷データの変換等を行い、印刷を実行するモジュールである。この画像処理部２１６は、画像形成制御部２１６ａと、色変換部２１６ｂとを有している。
【００４５】
画像形成制御部２１６ａは、各色のインクジェットヘッド２２０の駆動や、搬送経路の駆動手段の動作を制御し、画像形成処理全体を制御するモジュールであり、スケジューリングに従ったタイミング及び印字速度で画像形成を行う。
【００４６】
色変換部２１６ｂは、印刷キュー記憶部２０６に記憶されている印刷ジョブに含まれる印刷データをＲＧＢデータからＣＭＹＫデータに変換する回路であり、各色についての印刷データに基づいて、画像形成制御部２１６ａに印刷を実行させる。
【００４７】
（印刷装置の作用）
図４は、本発明の一実施形態に係る印刷装置２の処理手順を示したフローチャートである。
【００４８】
図４に示すように、印刷装置２の印刷ジョブ受信部２１５が、印刷ジョブを受信すると（ステップＳ１０１）、受信した印刷ジョブを受信キュー記憶部２０５に記憶する（ステップＳ１０３）。
【００４９】
次に、印刷装置２の判定部２１１は、印刷キュー記憶部２０６に、受信キュー記憶部２０５に記憶した印刷ジョブと同一のユーザ識別子Ｄ２１を有する印刷ジョブが記憶されているか否かを判定する（ステップＳ１０５）。
【００５０】
ステップＳ１０５において、印刷キュー記憶部２０６に、受信キュー記憶部２０５に記憶した印刷ジョブと同一のユーザ識別子Ｄ２１を有する印刷ジョブが記憶されていないと判定された場合（ＮＯの場合）、ユーザは、受信キュー記憶部２０５に記憶された印刷ジョブの印刷を要望していると考えられるので、受信キュー記憶部２０５に記憶された印刷ジョブを印刷キュー記憶部２０６に転送し記憶させる（ステップＳ１２７）。
【００５１】
一方、ステップＳ１０５において、印刷キュー記憶部２０６に、受信キュー記憶部２０５に記憶した印刷ジョブと同一のユーザ識別子Ｄ２１を有する印刷ジョブが記憶されていると判定された場合（ＹＥＳの場合）、印刷キュー記憶部２０６に、受信キュー記憶部２０５に記憶された印刷ジョブと同一または類似の印刷ジョブが記憶されている可能性がある。
【００５２】
そこで、まず、判定部２１１は、印刷キュー記憶部２０６に保存された印刷ジョブの属性情報の属性項目（詳細属性情報）と、新たに受信した印刷ジョブ、すなわち受信キュー記憶部２０５に記憶された印刷ジョブの属性情報の属性項目（詳細属性情報）との類似度合いを示す詳細属性類似度を算出する（ステップＳ１０７）。例えば、印刷キュー記憶部２０６に保存された印刷ジョブＡの属性情報Ｄ２３のうち、印刷データ更新時刻Ｄ２３１が、“２０１４年０１月０６日０９時３０分３０秒”であり、部数Ｄ２３２が“１０”であり、ソート設定Ｄ２３３が“無”であり、カラーモードＤ２３４が“モノクロ”であり、片面両面設定Ｄ２３５が“片面”であるとする。一方、受信キュー記憶部２０５に記憶された印刷ジョブＸの属性情報Ｄ２３のうち、印刷データ更新時刻Ｄ２３１が、“２０１４年０１月０６日１５時００分３０秒”であり、部数Ｄ２３２が“９”であり、ソート設定Ｄ２３３が“無”であり、カラーモードＤ２３４が“カラー”であり、片面両面設定Ｄ２３５が“両面”であるとする。またその他設定Ｄ２３６は、同一であるとする。
【００５３】
このとき、判定部２１１は、属性情報Ｄ２３を定量化して、詳細属性類似度を算出する。例えば、印刷データ更新時刻Ｄ２３１は異なっているので詳細属性類似度を“０”に設定し、ソート設定Ｄ２３３は同一であるので詳細属性類似度を“１”に設定する。同様に、部数Ｄ２３２と、カラーモードＤ２３４と、片面両面設定Ｄ２３５とは異なっているので、それぞれの属性項目の詳細属性類似度を“０”、その他設定Ｄ２３６は同一であるので、それぞれの属性項目の詳細属性類似度を“１”と設定する。
【００５４】
次に、判定部２１１は、算出した詳細属性類似度と属性項目の重み付け情報とに基づいて、印刷キュー記憶部２０６に保存された印刷ジョブの属性情報と、新たに受信した印刷ジョブ、すなわち受信キュー記憶部２０５に記憶された印刷ジョブの属性情報との類似度合いを示す属性情報類似度を算出する（ステップＳ１０９）。ここで重み付け情報の重み付け度の値は、属性項目ごとに設定されており、合計すると、“１”となるように設定されている。例えば、印刷キュー記憶部２０６に保存された印刷ジョブＡの属性情報Ｄ２３のうち、印刷データ更新時刻Ｄ２３１の重み付け度が、“０．０２”、部数Ｄ２３２の重み付け度が、“０．０３”、ソート設定Ｄ２３３の重み付け度が、“０．５”、カラーモードＤ２３４の重み付け度が、“０．０２５”、片面両面設定Ｄ２３５の重み付け度が、“０．０２５”、その他設定Ｄ２３６の重み付け度が、“０．４”に設定されているとする。
【００５５】
このとき、判定部２１１は、算出した詳細属性類似度にそれぞれ対応する重み付け度づけを乗算して、この乗算した値をすべて加算することにより、属性情報類似度を算出する。ここでは、属性情報類似度の値は、０．９（９０％）（＝０×０．０２＋０×０．０３＋１×０．５＋０×０．０２５＋０×０．０２５＋１×０．４）として算出される。
【００５６】
ここで、ステップＳ１０７とステップＳ１０９との処理は、印刷キュー記憶部２０６に保存されたそれぞれの印刷ジョブの属性情報と、受信キュー記憶部２０５に記憶された印刷ジョブの属性情報とを比較するので、印刷キュー記憶部２０６に保存された印刷ジョブが複数ある場合、印刷キュー記憶部２０６に保存された印刷ジョブの個数分だけ属性情報類似度が算出されることになる。
【００５７】
そこで、判定部２１１は、算出した属性情報類似度の中で、最も高い属性情報類似度を選択し（ステップＳ１１１）、この選択した属性情報類似度があらかじめ設定された閾値を超えたか否かを判定する（ステップＳ１１３）。ここで、閾値は、類似か否かを判定するために、“０”〜“１”の間の値をあらかじめ設定しておく必要がある。“０”に近い値が設定されると類似と判定しやすくなり、“１”に近い値が設定されると非類似と判定しやすくなる。
【００５８】
ステップＳ１１３において、選択した属性情報類似度があらかじめ設定された閾値を超えていないと判定された場合（Ｓ１１３；ＮＯ）、類似する印刷ジョブが存在しないということであるので、演算処理部２１０は、処理をステップＳ１２７に移行し、受信キュー記憶部２０５に記憶された印刷ジョブを印刷キュー記憶部２０６に転送し記憶させる。
【００５９】
一方、ステップＳ１１３において、選択した属性情報類似度があらかじめ設定された閾値を超えたと判定された場合（Ｓ１１３；ＹＥＳ）、類似する印刷ジョブが存在するということであるので、まず、画像処理部２１６は、印刷処理を一時停止させる（ステップＳ１１５）。これにより、色変換部２１６ｂによる印刷キュー記憶部２０６に記憶された印刷ジョブの色変換処理を一時停止するので、ステップＳ１１７以降の処理の実行中に、受信キュー記憶部２０５に記憶された印刷ジョブと類似する印刷ジョブの色変換処理が実行されることを防止することができる。
【００６０】
次に、出力制御部２１２は、詳細属性類似度が低い属性項目を抽出する（ステップＳ１１７）。例えば、上述した例では、印刷データ更新時刻Ｄ２３１、部数Ｄ２３２、カラーモードＤ２３４、および片面両面設定Ｄ２３５の詳細属性類似度が“０”であり、ソート設定Ｄ２３３、およびその他設定Ｄ２３６の詳細属性類似度が“１”であるので、判定部２１１は、詳細属性類似度が低い属性項目として、詳細属性類似度が“０”である印刷データ更新時刻Ｄ２３１、部数Ｄ２３２、カラーモードＤ２３４、および片面両面設定Ｄ２３５を抽出する。このとき、抽出する属性項目の最大数を予め定めておき、重み付け度が高い方から最大数分の属性項目を抽出するようにしてもよい。例えば、属性項目の最大数が“３”と設定されている場合、印刷データ更新時刻Ｄ２３１、部数Ｄ２３２、カラーモードＤ２３４、および片面両面設定Ｄ２３５の重み付け度は、それぞれ、“０．０２”、“０．０３”、“０．０２５”、“０．０２５”であるので、出力制御部２１２は、重み付け度が高い方から部数Ｄ２３２、カラーモードＤ２３４、および片面両面設定Ｄ２３５を抽出する。
【００６１】
そして、出力制御部２１２は、類似と判定された印刷ジョブの削除設定を問い合わせるメッセージとを操作パネル２０２に表示させる（ステップＳ１１９）。
【００６２】
図５は、本発明の一実施形態に係る印刷装置２が備える操作パネル２０２に表示されたメッセージ画面の一例を示した図である。
【００６３】
図５に示すように、出力制御部２１２は、操作パネル２０２上に「重複して印刷命令を行ったジョブがあります。先に受信したジョブを削除しますか？」などのような、類似と判定された印刷ジョブの削除設定を問い合わせるメッセージ２０２ａを表示させる。
【００６４】
さらに、出力制御部２１２は、該当ジョブ名２０２ｂとして、「印刷ジョブＡ」を表示している。
【００６５】
また、出力制御部２１２は、操作パネル２０２上に、先に受信した印刷ジョブを削除するための先受信ジョブボタン２０２ｇと、後に受信した印刷ジョブを削除するための後受信ジョブボタン２０２ｈと、先に受信した印刷ジョブおよび後に受信した印刷ジョブの両方とも削除せず受信キュー記憶部２０５に記憶された印刷ジョブを印刷キュー記憶部２０６に記憶させるための削除しないボタン２０２ｊとを表示させる。
【００６６】
これにより、ユーザに対して、先に受信した印刷ジョブＡを削除するのか、後に受信した印刷ジョブＸを削除するのか、いずれも削除しないのかを問い合わせることができ、その結果を以降の処理に反映することができる。
【００６７】
図４に戻り、出力制御部２１２は、削除操作がされたか否かを判定する（ステップＳ１２１）。具体的には、出力制御部２１２は、図５に示した画面上で先受信ジョブボタン２０２ｇまたは後受信ジョブボタン２０２ｈが押下操作された場合、削除操作がされたと判定し（ステップＳ１２１；ＹＥＳ）、削除しないボタン２０２ｊが押下操作された場合、削除操作がされなかったと判定する（ステップＳ１２１；ＮＯ）。
【００６８】
ステップＳ１２１において、削除操作がされなかったと判定された場合（ステップＳ１２１；ＮＯ）、ユーザが類似と認識して類似しているいずれかの印刷ジョブを削除したいと考えるユーザ嗜好と、属性情報類似度の値にズレが生じている可能性があるので、属性情報類似度の値をユーザ嗜好に極力合わせるように、重み付け調整部２１３が、重み付け情報を変更する（ステップＳ１２５）。
【００６９】
例えば、重み付け調整部２１３は、詳細属性類似度の高い属性項目の重み付け度を低下させ、その低下させた重み付け度の分だけ詳細属性類似度の高い属性項目以外の属性項目の重み付け度を上昇させる。上述した例では、ソート設定Ｄ２３３（重み付け度：０．５）、およびその他設定Ｄ２３６（重み付け度：０．４）の詳細属性類似度が高いので、重み付け調整部２１３は、これらの属性項目の重み付け度を、それぞれ“０．０１”だけ低下させる。これにより、新たなソート設定Ｄ２３３およびその他設定Ｄ２３６の重み付け度は、それぞれ“０．４９”、“０．３９”となり、２つの属性項目の重み付け度は、合計して“０．０２”だけ低下することになる。
【００７０】
そこで、重み付け調整部２１３は、低下させた重み付け度の合計“０．０２”分を他の属性項目に割り当てる。例えば、重み付け調整部２１３は、印刷データ更新時刻Ｄ２３１、部数Ｄ２３２、カラーモードＤ２３４、および片面両面設定Ｄ２３５の重み付け度を均等にそれぞれ“０．００５”だけ割り当てて加算する。これにより、属性項目の新たな重み付け度は、印刷データ更新時刻Ｄ２３１が、“０．０２５”、部数Ｄ２３２が、“０．０３５”、カラーモードＤ２３４が、“０．０３”、片面両面設定Ｄ２３５が、“０．０３”として設定される。
【００７１】
これにより、ユーザが類似と認識する印刷ジョブと、本発明の一実施形態に係る印刷装置２が類似と判定する印刷ジョブとが近づくように重み付け度が調整されるので、次回から、よりユーザの類似判断の感覚に近い印刷ジョブの類似判定を行うことができる。
【００７２】
一方、ステップＳ１２１において、削除操作がされたと判定された場合（ステップＳ１２１；ＹＥＳ）、ユーザが類似と認識して類似しているいずれかの印刷ジョブを削除したいと考えるユーザ嗜好と、属性情報類似度の値とがよく一致していると考えられるので、さらに属性情報類似度の値をユーザ嗜好に合わせるように、重み付け調整部２１３が、重み付け情報を変更する（ステップＳ１２２）。
【００７３】
例えば、重み付け調整部２１３は、詳細属性類似度の高い属性項目の重み付け度を上昇させ、その上昇させた重み付け度の分だけ詳細属性類似度の高い属性項目以外の属性項目の重み付け度を低下させる。上述した例では、ソート設定Ｄ２３３（重み付け度：０．５）、およびその他設定Ｄ２３６（重み付け度：０．４）の詳細属性類似度が高いので、重み付け調整部２１３は、これらの属性項目の重み付け度を、それぞれ“０．０１”だけ上昇させる。これにより、新たなソート設定Ｄ２３３およびその他設定Ｄ２３６の重み付け度は、それぞれ“０．５１”、“０．４１”となり、２つの属性項目の重み付け度は、合計して“０．０２”だけ上昇することになる。
【００７４】
そこで、重み付け調整部２１３は、低下させた重み付け度の合計“０．０２”分を他の属性項目に割り当てる。例えば、重み付け調整部２１３は、印刷データ更新時刻Ｄ２３１、部数Ｄ２３２、カラーモードＤ２３４、および片面両面設定Ｄ２３５の重み付け度を均等にそれぞれ“０．００５”だけ割り当てて減算する。これにより、属性項目の新たな重み付け度は、印刷データ更新時刻Ｄ２３１が、“０．０１５”、部数Ｄ２３２が、“０．０２５”、カラーモードＤ２３４が、“０．０２”、片面両面設定Ｄ２３５が、“０．０２”として設定される。
【００７５】
これにより、ユーザが類似と認識する印刷ジョブと、本発明の一実施形態に係る印刷装置２が類似と判定する印刷ジョブとがさらに近づくように重み付け度が調整されるので、次回から、よりユーザの類似判断の感覚に近い印刷ジョブの類似判定を行うことができる。
【００７６】
そして、出力制御部２１２は、ユーザ操作に基づいて、類似と判定された印刷ジョブの削除を制御する（ステップＳ１２３）。
【００７７】
なお、本発明の一実施形態に係る印刷装置２では、出力制御部２１２が、類似と判定された印刷ジョブの削除設定を問い合わせるメッセージとを操作パネル２０２に表示させたが、さらに、属性情報類似度や抽出した属性項目を表示させるようにしてもよい。
【００７８】
図６は、本発明の一実施形態に係る印刷装置２が備える操作パネル２０２に表示されたメッセージ画面の一例を示した図である。
【００７９】
図６に示すように、出力制御部２１２類似と判定された印刷ジョブの削除設定を問い合わせるメッセージ２０２ａや、該当ジョブ名２０２ｂの他に、印刷キュー記憶部２０６に保存された印刷ジョブの属性情報と、受信キュー記憶部２０５に記憶された印刷ジョブの属性情報との属性情報類似度２０２ｃとして、「９０％」を表示している。
【００８０】
さらに、出力制御部２１２は、属性項目として、ステップＳ１１７において抽出した属性項目である部数Ｄ２３２、カラーモードＤ２３４、および片面両面設定Ｄ２３５を、部数２０２ｄ、カラー２０２ｅ、および印面２０２ｆとして操作パネル２０２上に表示している。
【００８１】
図６に示した例では、出力制御部２１２は、属性項目だけでなく、それぞれの属性項目に対する値を表示している。例えば、出力制御部２１２は、先に受信したジョブ（印刷ジョブＡ）の部数２０２ｄとして“１０”を表示するとともに、後に受信したジョブ（印刷ジョブＸ）の部数２０２ｄとして“９”を表示している。カラー２０２ｅ、および印面２０２ｆについても同様である。
【００８２】
このように、出力制御部２１２は、ユーザが削除設定の操作を行う上で参考になる情報として、ステップＳ１１７において抽出した属性項目である部数Ｄ２３２、カラーモードＤ２３４、および片面両面設定Ｄ２３５を、部数２０２ｄ、カラー２０２ｅ、および印面２０２ｆとして操作パネル２０２上に表示するので、ユーザは、この表示された情報を確認しながら、より適切に削除設定の操作を行うことができる。
【００８３】
なお、本発明の一実施形態に係る印刷装置２では、ステップＳ１２１において、削除操作がされたと判定されか否かを判定する度に、重み付け度を一定量だけ変更したがこれに限らず、複数回連続して印刷ジョブを受信した場合に、連続した数に応じて重み付け度を変更する値を変えるようにしてもよい。
【００８４】
例えば、ユーザＸの印刷ジョブＡが受信した後に、ユーザＸの印刷ジョブＢを受信し、ステップＳ１２１において、削除しないが選択された場合（Ｓ１２１；ＮＯ）、重み付け調整部２１３は、詳細属性類似度の高い属性項目の重み付け度を低下させ、その低下させた重み付け度の分だけ詳細属性類似度の高い属性項目以外の属性項目の重み付け度を上昇させる。上述した例で、ソート設定Ｄ２３３（重み付け度：０．５）、およびその他設定Ｄ２３６（重み付け度：０．４）の詳細属性類似度が高いとすると、重み付け調整部２１３は、これらの属性項目の重み付け度を、１回目として、それぞれ“０．０１”だけ低下させ、印刷データ更新時刻Ｄ２３１、部数Ｄ２３２、カラーモードＤ２３４、および片面両面設定Ｄ２３５の重み付け度を均等にそれぞれ“０．００５”だけ割り当てて加算する。これにより、属性項目の新たな重み付け度は、印刷データ更新時刻Ｄ２３１が、“０．０２５”、部数Ｄ２３２が、“０．０３５”、ソート設定Ｄ２３３が、“０．４９”、カラーモードＤ２３４が、“０．０３”、片面両面設定Ｄ２３５が、“０．０３”、その他設定Ｄ２３６が“０．３９”として設定される。
【００８５】
次に、再度、ユーザＸの印刷ジョブＡが受信した後に、ユーザＸの印刷ジョブＢを受信し、ステップＳ１２１において、削除しないが選択された場合（Ｓ１２１；ＮＯ）、連続して同一の印刷ジョブを受信し、連続して同一の操作が行われているので、よりユーザの嗜好の反映度合いを大きくするため、連続回数（ここでは、２回）に応じて、重み付け度を変更する。
【００８６】
重み付け調整部２１３は、ソート設定Ｄ２３３（重み付け度：０．４９）、およびその他設定Ｄ２３６（重み付け度：０．３９）の詳細属性類似度が高いとすると、重み付け調整部２１３は、これらの属性項目の重み付け度を、２回目として、それぞれ“０．０２”（＝０．０１×２回）だけ低下させ、印刷データ更新時刻Ｄ２３１、部数Ｄ２３２、カラーモードＤ２３４、および片面両面設定Ｄ２３５の重み付け度を均等にそれぞれ“０．０１”だけ割り当てて加算する。これにより、属性項目の新たな重み付け度は、印刷データ更新時刻Ｄ２３１が、“０．０３５”、部数Ｄ２３２が、“０．０４５”、ソート設定Ｄ２３３が、“０．４７”、カラーモードＤ２３４が、“０．０４”、片面両面設定Ｄ２３５が、“０．０４”、その他設定Ｄ２３６が“０．３７”として設定される。
【００８７】
さらに、ユーザＸの印刷ジョブＡが受信した後に、ユーザＸの印刷ジョブＢを受信し、ステップＳ１２１において、削除しないが選択された場合（Ｓ１２１；ＮＯ）、連続して同一の印刷ジョブを受信し、連続して同一の操作が行われているので、さらにユーザの嗜好の反映度合いを大きくするため、連続回数（ここでは、３回）に応じて、重み付け度を変更する。
【００８８】
重み付け調整部２１３は、ソート設定Ｄ２３３（重み付け度：０．４７）、およびその他設定Ｄ２３６（重み付け度：０．３７）の詳細属性類似度が高いとすると、重み付け調整部２１３は、これらの属性項目の重み付け度を、３回目として、それぞれ“０．０３”（＝０．０１×３回）だけ低下させ、印刷データ更新時刻Ｄ２３１、部数Ｄ２３２、カラーモードＤ２３４、および片面両面設定Ｄ２３５の重み付け度を均等にそれぞれ“０．０１５”だけ割り当てて加算する。これにより、属性項目の新たな重み付け度は、印刷データ更新時刻Ｄ２３１が、“０．０５”、部数Ｄ２３２が、“０．０６”、ソート設定Ｄ２３３が、“０．４４”、カラーモードＤ２３４が、“０．０５５”、片面両面設定Ｄ２３５が、“０．０５５”、その他設定Ｄ２３６が“０．３４”として設定される。
【００８９】
次に、ユーザＸの印刷ジョブＡが受信した後に、ユーザＸの印刷ジョブＢを受信し、ステップＳ１２１において、削除するが選択された場合（Ｓ１２１；ＹＥＳ）、連続して同一の印刷ジョブを受信しているが、前回と異なる操作が行われているので、１回目として重み付け度を変更する。
【００９０】
重み付け調整部２１３は、詳細属性類似度の低い属性項目の重み付け度を低下させ、その低下させた重み付け度の分だけ詳細属性類似度の低い属性項目以外の属性項目の重み付け度を上昇させる。印刷データ更新時刻Ｄ２３１（重み付け度：０．０５）、部数Ｄ２３２（重み付け度：０．０６）、カラーモードＤ２３４（重み付け度：０．０５５）、および片面両面設定Ｄ２３５（重み付け度：０．０５５）の詳細属性類似度が低いとすると、重み付け調整部２１３は、これらの属性項目の重み付け度を、それぞれ“０．０１”だけ低下させ、ソート設定Ｄ２３３およびその他設定Ｄ２３６の重み付け度を均等にそれぞれ“０．０２”だけ割り当てて加算する。これにより、属性項目の新たな重み付け度は、属性項目の新たな重み付け度は、印刷データ更新時刻Ｄ２３１が、“０．０４”、部数Ｄ２３２が、“０．０５”、ソート設定Ｄ２３３が、“０．４６”、カラーモードＤ２３４が、“０．０４５”、片面両面設定Ｄ２３５が、“０．０４５”、その他設定Ｄ２３６が“０．３６”として設定される。
【００９１】
このように、連続回数に応じて重み付け度を変更する値を変えることにより、より素早く類比の判定をユーザの嗜好に近づけることができる。
【符号の説明】
【００９２】
１…ユーザ端末
２…印刷装置
３…ネットワーク
２０１…通信インターフェース
２０２…操作パネル
２０５…受信キュー記憶部
２０６…印刷キュー記憶部（印刷ジョブ記憶手段）
２１０…演算処理部
２１１…判定部（判定手段）
２１２…出力制御部（出力手段）
２１３…重み付け調整部（重み付け調整手段）
２１４…操作信号取得部
２１５…印刷ジョブ受信部
２１６…画像処理部
２１６ａ…画像形成制御部
２１６ｂ…色変換部
２２０…インクジェットヘッド
【図１】
2015139973.tif 000003
【図２】
2015139973.tif 000004
【図３】
2015139973.tif 000005
【図４】
2015139973.tif 000006
【図５】
2015139973.tif 000007
【図６】
2015139973.tif 000008